(57)【要約】      （修正有）【課題】既設の釘打ち機を活用して製造するパチンコ遊技機用遊技盤の製造方法を提供する。【解決手段】ＸＹ平面に沿い移動可能なテーブルの上面から１９（ｍｍ）の高さの平面を遊技釘の打ち込み開始面とする釘打ち機を前提に、１９（ｍｍ）よりも薄い厚さ及び遊技釘の打ち込み可能な柔らかさを有する透明板を遊技板として準備し、かつ、１９（ｍｍ）から透明板の厚さを減じた厚さの底上げ治具を準備して、透明板を、底上げ治具を介し、テーブル上に固定して、各遊技釘を釘打ち機により透明板に順次打ち込み、ガイドレールを透明板の外周部に沿い組み付けた後、盤面前部品群及び盤面裏部品群を、透明板にその前面側及び裏面側から組み付け、断面Ｌ字状の左右両側裏板を、透明板の左右両側縁部から裏ケーシングの左右両側縁部を覆うように延出させて、透明板に組み付ける。【選択図】図１６
2010268928.tif 000002
【特許請求の範囲】
【請求項１】
遊技板と、
この遊技板の前面にその外周部に沿い組み付けられるガイドレールと、
このガイドレールの内周側にて前記遊技板にその前面側から分散して打ち込まれる多数の遊技釘からなる遊技釘群と、
前記遊技板の中央に形成される中央くりぬき穴部の外周縁部に前記遊技板の前面側から組み付けられる環状センター構造物及び前記遊技板に前記中央くりぬき穴部の周囲において分散して形成される複数の分散くりぬき穴部を介し前記遊技板にその前面側から組み付けられる複数の分散構造物からなる盤面前側構造物群を少なくとも有する盤面前部品群と、
前記遊技板の前記中央くりぬき穴部を通して前方を臨むように前記遊技板の裏面側に配置される表示手段と、
前記遊技板にその裏面側から組み付けられる裏ケーシングその他の裏部品からなる盤面裏部品群とを備えるパチンコ遊技機用遊技盤において、
前記遊技板の少なくとも一両対向側縁部に当該少なくとも一両対向側縁部からその裏面側に向け前記裏ケーシングの少なくとも一両対向側縁部の外側に沿い延出するように組み付けられる第１板体と、この第１板体の延出端部から前記裏ケーシングの前記少なくとも一両対向側縁部を覆うようにその内側へ延出する第２板体とを有する裏板部材を備えており、
前記遊技板は、その前面側から前記裏板部材の内側にて前記盤面裏部品群の少なくとも一部を目視により良好に透視可能で前記遊技釘の適正な打ち込み深さを確保可能な厚さ及び前記遊技釘の打ち込み可能な柔らかさを有する透明板により形成されており、
前記盤面裏部品群を構成する前記裏ケーシングその他の裏部品は、前記裏板部材の前記第１板体の内側にて前記透明板を介し前記盤面前部品群に対向して位置するように、前記透明板にその裏面側から組み付けられていることを特徴とするパチンコ遊技機用遊技盤。
【請求項２】
前記裏ケーシングその他の裏部品は、その少なくとも一部にて、前記透明板を介し前記盤面前部品群の前記少なくとも一部に対する対応部位と共締めにより組み付けられていることを特徴とする請求項１に記載のパチンコ遊技機用遊技盤。
【請求項３】
前記透明板は、前記遊技釘の打ち込み可能な柔らかさとなるようにゴムをアクリル樹脂に混合した混合材料でもって、前記遊技釘の適正な打ち込み深さの確保可能な薄さにて形成されていることを特徴とする請求項１または２に記載のパチンコ遊技機用遊技盤。
【請求項４】
ＸＹ平面に沿いＸ方向及びＹ方向に移動可能なテーブルを備えて、当該テーブルの上面から１８．５（ｍｍ）〜２０．５（ｍｍ）の範囲以内の所定高さの平面を遊技釘の打ち込み開始面とする仕様の釘打ち機の前記テーブルの上面上に１８．５（ｍｍ）〜２０．５（ｍｍ）の範囲以内の所定厚さの遊技板をその前面を上側に向けて着脱可能に固定して、前記釘打ち機により、所定の打ち込み位置パターンに応じて、多数の遊技釘を前記遊技板にその前面側から順次打ち込む釘打ち工程と、
この釘打ち工程の後、前記遊技板の前面にその外周部に沿いガイドレールを組み付けるガイドレール組み付け工程と、
このガイドレール組み付け工程の後、前記遊技板にその前面側からセンター構造物その他の盤面前構造物群を少なくとも含む盤面前部品群を組み付ける盤面前部品組み付け工程と、
前記遊技板にその裏面側から裏ケーシングその他の盤面裏部品群を組み付ける盤面裏部品組み付け工程とを備えるパチンコ遊技機の遊技盤の製造方法において、
前記遊技板の少なくとも一両対向側縁部からその裏側へ延出可能な第１板体と、この第１板体から前記裏ケーシングの少なくとも一両対向側縁部を介し前記遊技板と並行となるように延出可能な第２板体とを備える裏板部材を準備して、前記第２板体が前記裏ケーシングの前記少なくとも一両対向側縁部を介し前記遊技板に並行に位置するように、前記遊技板の前記少なくとも一両対向側縁部に対し当該少なくとも一両対向側縁部からその裏面側に向け前記裏ケーシングの外側に沿い延出するように前記裏板部材を前記第１板体にて組み付ける裏板部材組み付け工程を備えており、
前記釘打ち工程は、前記所定厚さよりも薄くかつ前記盤面裏部品群の少なくとも一部を目視により良好に透視可能で前記遊技釘の適正な打ち込み深さを確保可能な厚さ及び前記遊技釘の打ち込み可能な柔らかさを有する透明板を前記遊技板として準備し、かつ、前記所定厚さから前記透明板の厚さを減じた厚さを有する板状底上げ治具を準備して、前記透明板を、前記底上げ治具を介して、前記テーブルの上面に着脱可能に固定した状態で、前記釘打ち機により、前記所定の打ち込み位置パターンに応じて、前記多数の遊技釘を前記透明板にその前面側から順次打ち込む釘打ち工程であり、
前記ガイドレール組み付け工程は、前記透明板の前面にその外周部に沿い前記ガイドレールを組み付けるガイドレール組み付け工程であり、
前記盤面前部品組み付け工程及び前記盤面裏部品組み付け工程は、前記透明板にその前面側から前記盤面前部品群を組み付けるとともに、前記裏板部材の前記第１板体の内側にて前記透明板を介し前記盤面前部品群に対向して位置するように、前記透明板にその裏面側から前記盤面裏部品群を組み付ける盤面前部品及び盤面裏部品組み付け工程であり、
前記裏板部材組み付け工程による前記裏板部材の組み付けは、前記盤面前部品及び盤面裏部品組み付け工程による前記盤面裏部品群の組み付け後に行われることを特徴とするパチンコ遊技機の遊技盤の製造方法。
【請求項５】
前記遊技釘の打ち込み可能な柔らかさとなるようにゴムをアクリル樹脂に混合した混合材料でもって、前記所定厚さ未満の厚さであって前記遊技釘の適正な打ち込み深さを確保可能な厚さを有するように前記透明板を形成する透明板形成工程と、
前記透明板に位置決め用基準孔部を形成する位置決め用基準孔形成工程と、
前記盤面前構造物群を構成する各盤面前構造物に対応するように各くりぬき穴部を、前記位置決め用基準孔部を基準として、前記透明板に形成するくりぬき穴形成工程と、
前記位置決め用基準孔部を基準として所定の下孔位置パターンに応じて前記多数の遊技釘の打ち込み用の多数の下孔部を前記透明板に形成する下孔形成工程とを具備して、
前記くりぬき穴形成工程及び前記下孔形成工程の後に、前記釘打ち工程において、前記透明板を前記底上げ治具と共に前記置決め用基準孔部を基準として前記テーブルの上面に位置決め固定して、前記多数の遊技釘を前記透明板に前記多数の下孔部を通して順次打ち込むようにしたことを特徴とする請求項４に記載のパチンコ遊技機の遊技盤の製造方法。
【発明の詳細な説明】
【技術分野】
【０００１】
本発明は、パチンコ遊技機用遊技盤及びその製造方法に関する。
【背景技術】
【０００２】
従来、各種のパチンコ遊技機に用いられる遊技盤のうち、下記特許文献１に記載の遊技機器の遊技盤において各種遊技部品を設けるために用いられる遊技板は、ベニヤ板からなる環状枠体と、第１透明板に複数の釘ベースをインサート成形により形成することで構成してなる透明板体と、第２透明板とによって、構成されている。そして、当該遊技板は、上記透明板体及び第２透明板を、液晶ディスプレイの前方にて、上記環状枠体の中空部内に前後に位置するように併設して構成されている。
【先行技術文献】
【特許文献】
【０００３】
【特許文献１】特開２００５−１３７２０号公報
【発明の概要】
【発明が解決しようとする課題】
【０００４】
ところで、上述のように構成したパチンコ遊技機の遊技盤においては、遊技板を構成する上記透明板体及び第２透明板が透明であるものの、環状枠体は、ベニヤ板からなるため、不透明である。
【０００５】
このため、遊技板は、その全体に亘っては、透明ではないため、当該遊技板を通してその裏側の部品を透視しようとしても、透視可能な範囲は、当該遊技板の透明な範囲に限られる。このことは、当該遊技板は、全体的には、透視性を有さず、当該遊技板に依っては、裏側の部品に対する透視範囲を広く確保することはできない。
【０００６】
これに対する対策としては、遊技板を、上記透明板体だけでなく、上述の環状枠体をも含めて、透明板で形成することにより、上述の透視範囲を拡大することが考えられる。
【０００７】
然るに、上述したパチンコ遊技機の遊技板においては、上記透明板体が、第１透明板に複数の釘ベースをインサート成形により形成して構成されている。このため、上述のごとく、遊技板を、上述の環状枠体をも含めて透明板で形成するとしても、上述した釘ベースを、当該透明板の全体に亘り、多数、インサート成形するという面倒で複雑な作業が必須となるという不具合を招く。
【０００８】
さらには、上述したパチンコ遊技機の遊技板の上記透明板体においては、複数の釘ベースが第１透明板にインサート成形されているにすぎないため、遊技釘を釘ベースに打ち込んでも、遊技釘に対する第１透明板の支持強度を十分に確保することはできない。従って、上述のごとく、遊技板を、上述の環状枠体をも含めて透明板で形成して、釘ベースを、当該透明板の全体に亘り、多数、インサート成形しても、遊技釘に対する支持強度を十分に確保し得ないことに変わりはない。
【０００９】
また、上述のように遊技板の全体を透明板としても、この透明板が厚すぎると、実際には透視性に不足を生じ、当該透明板が薄すぎると、当該透明板に対する遊技釘の打ち込み深さが不十分となり、その結果、遊技釘の打ち込み不足による透明板の遊技釘に対する支持強度が不十分になるという不具合を招く。
【００１０】
これに加え、上述のように、遊技板の全体を、単に、透明板とすることのみでは、透明板の裏側の構成によっては、裏側の部品に対する視認範囲が必ずしも広くならないおそれがある。これでは、透明板を遊技板として採用する意義が薄れてしまい、透明板の採用にあわせて、透明板の裏側の部品に対する視認範囲をできる限り広くしたいという要請には応えられない。
【００１１】
さらに、これに加えて、透明板に対する裏側の部品の組み付け部位の構造が、透明板を通して視認されてしまうと、遊技盤としての見映えを悪化させてしまう。
【００１２】
そこで、本発明は、以上のようなことに対処するため、遊技板として透明板を活用することで、当該透明板が薄くてもこの透明板に対する遊技釘の適正な打ち込み深さを確保しつつ、透明板の広い透視範囲のもとにその裏側の部品に対する視認範囲を広くし、かつ、見映えをも良好に確保するようにしたパチンコ遊技機用遊技盤を提供することを目的とする。
【００１３】
また、本発明は、釘打ち機が既設のものであり、かつ、上記透明板の厚さが当該既設の釘打ち機において遊技釘の打ち込み構成で要求される厚さよりも薄くても、上記透明板に対する遊技釘の打ち込みに工夫を凝らし、上記既設の釘打ち機を有効に活用して製造するようにしたパチンコ遊技機用遊技盤の製造方法を提供することを目的とする。
【課題を解決するための手段】
【００１４】
上記課題の解決にあたり、本発明に係るパチンコ遊技機用遊技盤は、請求項１の記載によれば、
遊技板（１００ａ）と、
この遊技板の前面にその外周部に沿い組み付けられるガイドレール（１２０）と、
このガイドレールの内周側にて遊技板にその前面側から分散して打ち込まれる多数の遊技釘（１１１）からなる遊技釘群（１１０）と、
遊技板の中央に形成される中央くりぬき穴部（１０１）の外周縁部に遊技板の前面側から組み付けられる環状センター構造物（１４０）及び遊技板に上記中央くりぬき穴部の周囲において分散して形成される複数の分散くりぬき穴部（１０１ａ〜１０１ｇ、１３ａ〜１３ｃ、１４ａ〜１４ｅ）を介し遊技板にその前面側から組み付けられる複数の分散構造物（１６０ａ、１５２、１５３、１５５、１５６、１６０ｃ、１７０）からなる盤面前側構造物群を少なくとも有する盤面前部品群（１００ｄ）と、
遊技板の上記中央くりぬき穴部を通して前方を臨むように遊技板の裏面側に配置される表示手段（１９０）と、
遊技板にその裏面側から組み付けられる裏ケーシング（１８０ｂ）その他の裏部品（１８２、１８３）からなる盤面裏部品群（１００ｅ）とを備える。
【００１５】
当該パチンコ遊技機用遊技盤において、遊技板の少なくとも一両対向側縁部に当該少なくとも一両対向側縁部からその裏面側に向け裏ケーシングの憂くなくとも一両対向側縁部の外側に沿い延出するように組み付けられる第１板体（１０２、１０４）と、この第１板体の延出端部から裏ケーシングの上記少なくとも一両対向側縁部を覆うようにその内側へ延出する第２板体（１０３、１０５）とを有する裏板部材（１００ｂ、１００ｃ）を備えており、
遊技板は、その前面側から裏板部材の内側にて盤面裏部品群の少なくとも一部（１８１ａ）を目視により良好に透視可能で遊技釘の適正な打ち込み深さを確保可能な厚さ及び遊技釘の打ち込み可能な柔らかさを有する透明板（１０）により形成されており、
盤面裏部品群を構成する裏ケーシングその他の裏部品は、裏板部材の上記第１板体の内側にて透明板を介し盤面前部品群に対向して位置するように、透明板にその裏面側から組み付けられていることを特徴とする。
【００１６】
これによれば、遊技板がその全体に亘り透明板で構成されることから、遊技板の透視範囲を大幅に拡大することができる。従って、遊技板の裏面側に位置する裏ケーシングその他の盤面裏部品群を、広い範囲にて、遊技板を通して視認することができる。
【００１７】
ここで、上述したごとく、裏板部材は、その第２板体により、裏ケーシングの少なくとも一両対向側縁部を覆うようにして、第１板体にて、遊技板の少なくとも一両対向側縁部からその裏面側に向け裏ケーシングの少なくとも一両対向側縁部の外側に沿い延出している。このため、裏ケーシングは、その少なくとも一両対向側縁部にて、裏板部材の第１板体の内側に位置する。従って、遊技板の裏面側に位置する裏ケーシングその他の盤面裏部品群を、その全体に亘り、遊技板を通して視認することができる。その結果、当該遊技盤における盤面裏部品群の装飾効果がより一層広い範囲にて発揮され得る。
【００１８】
ここで、上述のごとく、盤面裏部品群を構成する裏ケーシングその他の裏部品は、裏板部材の上記第１板体の内側にて透明板を介し盤面前部品群に対向して位置するように、透明板にその裏面側から組み付けられている。従って、裏ケーシングその他の裏部品の透明板に対する組み付け部位が、盤面前部品群により遮られるため、当該組み付け部位が、遊技盤の前側から視認されることはない。その結果、遊技盤の見映えを良好に確保することができる。
【００１９】
また、上述のように、裏板部材は、その第２板体により、裏ケーシングの少なくとも一両対向側縁部を覆うようにして、第１板体にて、遊技板の少なくとも一両対向側縁部からその裏面側に向け裏ケーシングの少なくとも一両対向側縁部の外側に沿い延出しているので、裏ケーシングの少なくとも一両対向側縁部に相当する部位のデザインを自由に行うことができる。
【００２０】
ここで、透明板は、上述のごとく、その前面側から盤面裏部品群を目視により良好に透視可能な厚さを有することから、透明板の透視性を良好に確保することができる。また、透明板は、上述のごとく、遊技釘の打ち込み可能な柔らかさを有することから、当該透明板は、遊技釘を打ち込まれても、亀裂や破損を生ずることがない。
【００２１】
また、当該透明板は、遊技釘の適正な打ち込み深さを確保可能な厚さを有することから、当該透明板に打ち込まれた遊技釘は、当該透明板によりしっかりと支持され得る。
【００２２】
以上によれば、遊技板として透明板を活用することで、当該透明板が薄くてもこの透明板に対する遊技釘の適正な打ち込み深さを確保しつつ、透明板の広い透視範囲のもとにその裏側の部品に対する視認範囲を広くし、かつ、見映えをも良好に確保するようにしたパチンコ遊技機用遊技盤を提供することが可能となる。
【００２３】
また、本発明は、請求項２の記載によれば、請求項１に記載のパチンコ遊技機用遊技盤において、
裏ケーシングその他の裏部品は、その少なくとも一部（１８２ａ）にて、透明板を介し盤面前部品群の上記少なくとも一部に対する対応部位（１４６ｃ）と共締めにより組み付けられていることを特徴とする。
【００２４】
これにより、透明板を介する裏部品の上記少なくとも一部とこの少なくとも一部に対する盤面前部品群の対応部位との間の組み付けが、上記共締めのための単一のビス等の組み付け部材でもって達成され得る。その結果、透明板を介する裏部品及び盤面前部品群との間の組み付け作業を簡単にするとともにその組み付け部材を減少させつつ、請求項１に記載の発明の作用効果を達成することができる。
【００２５】
また、本発明は、請求項３の記載によれば、請求項１または２に記載のパチンコ遊技機用遊技盤において、
透明板は、遊技釘の打ち込み可能な柔らかさとなるようにゴムをアクリル樹脂に混合した混合材料でもって、遊技釘の適正な打ち込み深さの確保可能な薄さにて形成されていることを特徴とする。
【００２６】
これによれば、請求項１または２に記載の発明の作用効果の達成にあたり、透明板を上記混合材料でもって形成することで、遊技釘を、透明板の亀裂や破損を招くことなく、当該透明板に容易に打ち込むことができ、かつ、遊技釘に対する遊技球の衝突によっても、当該遊技釘を、その折れを招くことなく、遊技板に正常に保持し得る。さらに、透明板を、遊技釘の適正な打ち込み深さを確保可能な程度の薄さで形成することで、当該透明板による遊技釘に対する支持強度を良好に確保することができる。
【００２７】
また、本発明に係るパチンコ遊技機の遊技盤の製造方法は、請求項４の記載によれば、
ＸＹ平面に沿いＸ方向及びＹ方向に移動可能なテーブル（２２３）を備えて、当該テーブルの上面から１８．５（ｍｍ）〜２０．５（ｍｍ）の範囲以内の所定高さの平面を遊技釘の打ち込み開始面とする仕様の釘打ち機（２００）のテーブルの上面上に１８．５（ｍｍ）〜２０．５（ｍｍ）の範囲以内の所定厚さの遊技板をその前面を上側に向けて着脱可能に固定して、釘打ち機により、所定の打ち込み位置パターンに応じて、多数の遊技釘（１１１）を遊技板にその前面側から順次打ち込む釘打ち工程と、
この釘打ち工程の後、遊技板の前面にその外周部に沿いガイドレール（１２０）を組み付けるガイドレール組み付け工程と、
このガイドレール組み付け工程の後、遊技板にその前面側からセンター構造物（１４０）その他の盤面前構造物群を少なくとも含む盤面前部品群（１００ｄ）を組み付ける盤面前部品組み付け工程と、
遊技板にその裏面側から裏ケーシング（１８０ｂ）その他の盤面裏部品群（１００ｅ）を組み付ける盤面裏部品組み付け工程とを備える。
【００２８】
当該パチンコ遊技機の遊技盤の製造方法において、遊技板の少なくとも一両対向側縁部からその裏側へ延出可能な第１板体（１０２、１０４）と、この第１板体から裏ケーシングの少なくとも一両対向側縁部を介し遊技板と並行となるように延出可能な第２板体（１０３、１０５）とを備える裏板部材（１００ｂ、１００ｃ）を準備して、上記第２板体が裏ケーシングの上記少なくとも一両対向側縁部を介し遊技板に並行に位置するように、遊技板の上記少なくとも一両対向側縁部に対し当該少なくとも一両対向側縁部からその裏面側に向け裏ケーシングの外側に沿い延出するように裏板部材を上記第１板体にて組み付ける裏板部材組み付け工程（Ｓ８）を備えており、
上記釘打ち工程は、上記所定厚さよりも薄くかつ盤面裏部品群の少なくとも一部（１８１ａ）を目視により良好に透視可能で遊技釘の適正な打ち込み深さを確保可能な厚さ及び遊技釘の打ち込み可能な柔らかさを有する透明板（１０）を遊技板として準備し、かつ、上記所定厚さから透明板の厚さを減じた厚さを有する板状底上げ治具（１０ａ）を準備して、透明板を、底上げ治具を介して、上記テーブルの上面に着脱可能に固定した状態で、釘打ち機により、上記所定の打ち込み位置パターンに応じて、多数の遊技釘を透明板にその前面側から順次打ち込む釘打ち工程（Ｓ５）であり、
上記ガイドレール組み付け工程は、透明板の前面にその外周部に沿いガイドレールを組み付けるガイドレール組み付け工程（Ｓ６）であり、
上記盤面前部品組み付け工程及び上記盤面裏部品組み付け工程は、裏板部材の上記第１板体の内側にて透明板を介し盤面前部品群に対向して位置するように、透明板にその裏面側から盤面前部品群を組み付けるとともに、透明板にその裏面側から盤面裏部品群を組み付ける盤面前部品及び盤面裏部品組み付け工程（Ｓ７）であり、
上記裏板部材組み付け工程による裏板部材の組み付けは、上記盤面前部品及び盤面裏部品組み付け工程による盤面裏部品群の組み付け後に行われることを特徴とする。
【００２９】
これによれば、遊技板に相当する透明板が、１８．５（ｍｍ）〜２０．５（ｍｍ）の範囲以内の所定厚さよりも薄くかつ盤面裏部品群の少なくとも一部を目視により良好に透視可能で遊技釘の適正な打ち込み深さを確保可能な厚さ及び遊技釘の打ち込み可能な柔らかさを有する。
【００３０】
このような透明板が、上記所定厚さから透明板の厚さを減じた厚さを有する底上げ治具を介して、上記釘打ち機のテーブルの上面に着脱可能に固定される。このような状態にて、多数の遊技釘が、上記釘打ち機により、上記所定の打ち込み位置パターンに応じて、透明板にその前面側から順次打ち込まれる。
【００３１】
ついで、ガイドレールが透明板の前面にその外周部に沿い組み付けられ、盤面前部品群が、透明板にその前面側から組み付けられ、かつ、盤面裏部品群が、裏板部材の上記第１板体の内側にて透明板を介し盤面前部品群に対向して位置するように、透明板にその裏面側から組み付けられる。
【００３２】
然る後、裏板部材が、上記第２板体にて裏ケーシングの上記少なくとも一両対向側縁部を介し遊技板に並行に位置するように、上記第１板体により、遊技板の上記少なくとも一両対向側縁部に対し当該少なくとも一両対向側縁部からその裏面側に向け裏ケーシングの外側に沿い延出するように組み付けられる。これにより、透明板を遊技板と遊技盤の製造が終了する。
【００３３】
以上によれば、遊技釘の打ち込みにあたり、釘打ち機においては、上述のごとく、釘打ちのための基準面が釘打ち機のテーブルの上面で設定されており、釘打ちの開始面が、上記基準面の上方である１８．５（ｍｍ）〜２０．５（ｍｍ）の範囲以内の所定高さの位置に設定されている。
【００３４】
しかしながら、遊技板に相当する透明板の厚さが１８．５（ｍｍ）〜２０．５（ｍｍ）の範囲以内の所定厚さよりも薄いものの、底上げ治具の厚さが上記所定厚さから透明板の厚さを減じた厚さとなっていることから、透明板及び底上げ治具の双方の厚さの和は上記所定厚さに等しい。従って、底上げ治具が、透明板の薄さを補う役割を果たし、当該透明板の前面（上面）を、上述した釘打ちの開始面に正しく維持する。
【００３５】
これにより、上述のごとく、透明板を、底上げ治具を介し、釘打ち機のテーブル上に載置したとき、透明板が、底上げ治具でもって、全体的に、テーブルの上面上にしっかりと支持される。従って、上述した釘打ち機による透明板に対する遊技釘の打ち込み力が強くても、透明板が撓んだり破壊したりすることなく、各遊技釘を透明板に対し適正な打ち込み深さにて適正な向きにしっかりと打ち込むことができる。その結果、各遊技釘は、透明板によりしっかりと支持され得る。
【００３６】
このように、釘打ち機が既設のものであっても、底上げ治具を利用して遊技釘の透明板に対する打ち込み構成に工夫を凝らすことで、当該既設の釘打ち機を有効に活用した遊技盤の製造方法の提供が可能となるのは勿論のこと、この製造方法により製造される遊技盤は、請求項１に記載の発明と同様の作用効果を達成することができる。なお、上述のごとく、透明板は、遊技釘の打ち込み可能な柔らかさを有することから、遊技釘を上述のように透明板に打ち込んでも、この透明板に亀裂や破損が生ずることはない。
【００３７】
また、本発明は、請求項５の記載によれば、請求項４に記載のパチンコ遊技機の遊技盤の製造方法において、
遊技釘の打ち込み可能な柔らかさとなるようにゴムをアクリル樹脂に混合した混合材料でもって、上記所定厚さ未満の厚さであって遊技釘の適正な打ち込み深さを確保可能な厚さを有するように透明板を形成する透明板形成工程（Ｓ１）と、
透明板に位置決め用基準孔部を形成する位置決め用基準孔形成工程（Ｓ２）と、
盤面前構造物群を構成する各盤面前構造物に対応するように各くりぬき穴部を、上記位置決め用基準孔部を基準として、透明板に形成するくりぬき穴形成工程（Ｓ３）と、
上記位置決め用基準孔部を基準として所定の下孔位置パターンに応じて多数の遊技釘の打ち込み用の多数の下孔部を透明板に形成する下孔形成工程（Ｓ４）とを具備して、
上記くりぬき穴形成工程及び上記下孔形成工程の後に、上記釘打ち工程において、透明板を底上げ治具と共に上記置決め用基準孔部を基準としてテーブルの上面に位置決め固定して、多数の遊技釘を透明板に上記多数の下孔部を通して順次打ち込むようにしたことを特徴とする。
【００３８】
これによれば、透明板が、上述のように遊技釘の打ち込み可能な柔らかさとなるようにゴムをアクリル樹脂に混合した混合材料でもって形成されるので、遊技釘を、透明板に対し、その亀裂や破損を招くことなく、打ち込むことが、より一層良好になされ得るのは勿論のこと、遊技球が遊技釘に衝突しても、遊技釘がその折れを招くことなく正常に保持され得る。
【００３９】
また、上述のごとく、透明板に位置決め用基準孔部を形成して、この基準孔部を基準にして、透明板に対し、くりぬき穴部や下孔部を形成するようにしたので、透明板に対するくりぬき穴部や下孔部の形成位置が精度よく確保され得る。その結果、請求項４に記載の発明の作用効果がより一層向上され得る。
【００４０】
なお、上記各手段の括弧内の符号は、後述する実施形態に記載の具体的手段との対応関係を示す。
【図面の簡単な説明】
【００４１】
【図１】本発明が適用されるパチンコ遊技機の一実施形態を示す正面図である。
【図２】上記パチンコ遊技機の遊技盤の正面図である。
【図３】図２の遊技盤の分解斜視図である。
【図４】（ａ）は、図３の遊技板の部分断面図であり、（ｂ）は、従来のパチンコ遊技機の遊技板の部分断面図である。
【図５】（ａ）は、左側裏板の正面図であり、（ｂ）は、当該左側裏板の端面形図である。
【図６】（ａ）は、右側裏板の正面図であり、（ｂ）は、当該右側裏板の端面形図である。
【図７】図３の右上側コーナー飾りを示す拡大斜視図である。
【図８】図３のセンター構造物を示す拡大斜視図である。
【図９】図３の左側中央構造物を示す拡大分解斜視図である。
【図１０】図３の右側中央構造物を示す拡大分解斜視図である。
【図１１】図３の肩チャッカーを示す拡大斜視図である。
【図１２】図３のゲートを示す拡大斜視図である。
【図１３】図３のスタートチャッカーを示す拡大斜視図である。
【図１４】図３の下側アタッカーを示す拡大斜視図である。
【図１５】図３の裏ケーシングを示す拡大斜視図である。
【図１６】透明板を介するセンター構造物及び裏ケーシングとの間の共締め関係を示すための分解斜視図である。
【図１７】図１６にて透明板（遊技板）を介する構造物本体及び裏ケーシングの連結部材の間の共締め構成を示す部分拡大断面図である。
【図１８】図２の遊技盤の製造方法を示す工程図である。
【図１９】図１８の透明板成形工程で成形された透明板を示す斜視図である。
【図２０】図１８の位置決め用基準孔形成工程で基準孔部を形成される透明板を示す斜視図である。
【図２１】図１８のくりぬき穴形成工程で複数のくりぬき穴部を形成される透明板の拡大正面図である。
【図２２】図１８の下孔形成工程で多数の下孔部を形成される透明板の拡大正面図である。
【図２３】図１８の釘打ち工程で用いられる釘打ち機の斜視図である。
【図２４】図２３の釘打ち機において遊技釘を各チャックに供給する経路及び各チャックとテーブル上の透明板との位置関係を示す模式的説明図である。
【図２５】図１８の釘打ち工程において用いる底上げ治具の正面図である。
【図２６】（ａ）〜（ｆ）は、それぞれ、図１８の釘打ち工程において釘打ち機のチャック及び押動素子の動作を透明板の下孔部の位置との関係で示す説明図である。
【図２７】図１８のガイドレール組み付け工程において外側レール部及び内側レール部を透明板に組み付けた状態を示す拡大斜視図である。
【発明を実施するための形態】
【００４２】
以下、本発明の一実施形態を図面により説明する。
【００４３】
図１は、本発明を適用してなるパチンコ遊技機の一実施形態を示している。当該パチンコ遊技機は、機枠（図示しない）と、この機枠に支持される遊技機本体Ｂ及び前扉ＦＤとを備えている。なお、前扉ＦＤは、遊技機本体Ｂの左側縁部を介し、上記機枠の左側縁部に前後方向に開閉可能に支持されている。
【００４４】
遊技機本体Ｂは、図２にて示す遊技盤１００を本体枠（図示しない）に組み付けて構成されている。遊技盤１００は、図２或いは図３にて示すごとく、遊技板１００ａ及び左右両側裏板１００ｂ、１００ｃを備えている。
【００４５】
遊技板１００ａは、ゴムをアクリル樹脂に均一に混合してなる混合材料でもって形成してなる透明板により構成されている。但し、当該透明板においてゴムの量のアクリル樹脂の量との混合割合は、当該透明板の透明度を維持しつつ、遊技釘１１１（後述する）の当該透明板に対する打ち込みを可能にする程度の柔らかさを確保し得る程度である。本実施形態において、上述した透明板の柔らかさは、当該透明板に対する遊技釘の打ち込みによって当該透明板に亀裂や破損を生じさせることなく、かつ、当該透明板に打ち込まれた遊技釘に対する遊技球の衝突によっても遊技釘をその折れを招くことなく正常に保持し得る程度の柔らかさをいう。なお、アクリル樹脂は、アクリル酸エステル樹脂の重合体、或いはメタクリル酸エステル樹脂の重合体であって透明性の高い非晶質の合成樹脂である。
【００４６】
また、遊技板１００ａは上述のごとく透明板であることから、この遊技板１００ａの透明性を有効に活用すべく、当該遊技板１００ａの裏面には種々の装飾用裏部品を配置させることが多い。しかしながら、遊技板１００ａが厚い程、当該遊技板１００ａの透明度が低下する。このため、遊技板１００ａが厚すぎると、遊技板１００ａを介する裏部品に対する透視性が悪化する。一方、薄すぎては、遊技釘の遊技板１００ａに対する打ち込み深さが不足する。このことは、遊技板１００ａの遊技釘に対する支持強度が低下することを意味する。
【００４７】
また、遊技板１００ａの主たる形成材料であるアクリル樹脂は、合成樹脂であって、いわゆるベニヤ積層板のような木に比べて、重い。このため、遊技板１００ａは、厚すぎては、重くなりすぎて扱いにくい。
【００４８】
従って、上述した遊技釘に対する支持強度を適正に確保しつつ遊技板１００ａを軽量としかつ当該遊技板１００ａの透視性を良好に確保し得るように、遊技板１００ａは、この種のパチンコ遊技機において従来から用いられているベニヤ積層板よりも薄く形成されている。
【００４９】
具体的には、本実施形態では、遊技板１００ａの板厚は、図４（ａ）にて示すごとく、１０（ｍｍ）である。これに対し、上記ベニヤ積層板の板厚は、図４（ｂ）にて示すごとく、１９（ｍｍ）であるから、遊技板１００ａは、上記ベニヤ積層板よりも９（ｍｍ）だけ薄い。
【００５０】
また、本実施形態において、遊技板１００ａには、後述のごとく、複数のくりぬき穴部の加工及び多数の下孔部の加工がなされており、複数のくりぬき穴部は、盤面前構造物群その他の盤面前部品（後述する）の各々を取り付けるためのものである。また、多数の下孔部は、多数の遊技釘を打ち込むためのものである。
【００５１】
左右両側裏板１００ｂ、１００ｃは、裏ケーシング１８０ｂ（後述する）を介し、遊技板１００ａにその裏面側から組み付けられている。左側裏板１００ｂは、不透明な材料（例えば、合成樹脂）を用いて、図５（ａ）（ｂ）にて示すごとく、側板部１０２及び屈曲板部１０３を一体に有するように、所定の板厚にて、横断面Ｌ字状に屈曲形成されている。
【００５２】
当該左側裏板１００ｂにおいては、屈曲板部１０３が遊技板１００ａの左側縁部（図３にて遊技板１００ａの図示左側縁部）にその裏面側から後述のごとく裏ケーシング１８０ｂの左側縁部を介し対向するように、側板部１０２が、遊技板１００ａの左側縁部に沿い、両ビス１０２ｂ（図３参照）の締着により、遊技板１００ａの左側縁部に組み付けられている。
【００５３】
なお、両ビス１０２ｂは、側板部１０２の両貫通孔部１０２ａに挿通されて遊技板１００ａの左側縁部に締着されることで、側板部１０２が遊技板１００ａの左側縁部にその裏面側から直交して延出するように組み付けられている。また、左側裏板１００ｂにおいて、側板部１０２の遊技板１００ａの左側縁部の裏面からの延出長さは、屈曲板部１０３を裏ケーシング１８０ａの左側縁部の後方に位置させるように、選定されている。また、上記所定の厚さは、少なくとも側板部１０２に貫通孔部１０２ａを形成し得る程度の厚さである。
【００５４】
一方、右側裏板１００ｃは、不透明な材料（例えば、合成樹脂）を用いて、図６（ａ）（ｂ）にて示すごとく、側板部１０４及び屈曲板部１０５を一体に有するように、上記所定の板厚にて、横断面Ｌ字状に屈曲形成されている。
【００５５】
当該右側裏板１００ｃにおいて、側板部１０４は、図６にて示すごとく、平板部ａと湾曲板部ｂとを有しており、湾曲板部ｂは、図６（ａ）にて示すごとく、平板部ａの図示上端部から左側へ円弧状に湾曲するように延出している。また、屈曲板部１０５は、図６にて示すごとく、平板部ｃと湾曲板部ｄとを有しており、湾曲板部ｃは、図６（ａ）にて示すごとく、湾曲板部ｂの円弧状湾曲方向に合わせて平板部ｃの上端部から図示左側へ湾曲するように延出している。
【００５６】
このように構成した右側裏板１００ｃにおいては、屈曲板部１０５が遊技板１００ａの右側縁部にその裏側から後述のごとく裏ケーシング１８０ｂの右側縁部を介し対向するように、側板部１０４が、遊技板１００ａの右側縁部に沿い、両ビス１０４ｂ（図３参照）の締着により、遊技板１００ａの右側縁部に組み付けられている。
【００５７】
なお、両ビス１０４ｂは、側板部１０４の両貫通孔部１０４ａに挿通されて遊技板１００ａの右側縁部に締着されることで、側板部１０４が遊技板１００ａの右側縁部にその裏面側から直交して延出するように組み付けられている。また、右側裏板１００ｃにおいて、側板部１０４の遊技板１００ａの右側縁部の裏面からの延出長さは、屈曲板部１０５を裏ケーシング１８０ａの右側縁部の後方に位置させるように、選定されている。また、右側裏板１００ｃの上記所定の厚さは、少なくとも側板部１０４に貫通孔部１０４ａを形成し得る程度の厚さである。
【００５８】
また、当該遊技盤１００は、図２にて示すごとく、遊技釘群１１０及びガイドレール１２０を有している。遊技釘群１１０は、多数の遊技釘１１１（図２及び図４（ａ）参照）からなるもので、これら遊技釘１１１は、遊技板１００ａの前面（遊技盤１００の盤面）にその遊技領域において所定のパターンでもって分散して打ち込まれている。これにより、遊技釘群１１０は、ガイドレール１２０から後述のように案内される遊技球を、順次、多数の遊技釘１１１の間を通して下方に向けて転動させる。なお、図２にて示すごとく、各所定箇所に打ち込まれた各遊技釘には、各風車１１２が組み付けられている。
【００５９】
ガイドレール１２０は、外側レール部１２０ａ及び内側レール部１２０ｂでもって、構成されており、これら外側レール部１２０ａ及び内側レール部１２０ｂは、上記遊技領域の周囲に沿うように、遊技板１００ａの前面の外周部に組み付けられている。これにより、ガイドレール１２０は、外側レール部１２０ａ及び内側レール部１２０ｂの間を介して、当該遊技盤１００の球発射装置（図示しない）から順次発射される遊技球を上記遊技領域内に案内する。
【００６０】
また、当該遊技盤１００は、盤面前部品群１００ｄ及び盤面裏部品群１００ｅを有しており、盤面前部品群１００ｄは、図２或いは図３にて示すごとく、左右両上側コーナー飾り１３０ａ、１３０ｂ、両左下側コーナー飾り１３０ｃ、１３０ｄ、図柄表示保留器１３０ｅ、並びに盤面前構造物群を構成するセンター構造物１４０、左右両側中央構造物１５０ａ、１５０ｂ、肩チャッカー１６０ａ、ゲート１６０ｂ、スタートチャッカー１６０ｃ及び下側アタッカー１７０により構成されている。
【００６１】
左右両上側コーナー飾り１３０ａ、１３０ｂのうち、左上側コーナー飾り１３０ａは、図２にて示すような左斜め上側に向けて凸な湾曲片形状を有するもので、当該左上側コーナー飾り１３０ａは、その内周縁部１３１にて、外側レール部１２０ｂの左上側部位の外周に沿うように、遊技板１００ａの前面側からその左上側隅角部に後述のごとく組み付けられている。
【００６２】
一方、右上側コーナー飾り１３０ｂは、図２、図３及び図７にて示すような右斜め上側に向けて凸な湾曲片形状を有するもので、この右上側コーナー飾り１３０ｂは、図２にて示すごとく、その内周縁部１３２にて、外側レール部１２０ｂの右上側部位の外周に沿うように、遊技板１００ａの前面側からその右上側隅角部に後述のごとく組み付けられている。
【００６３】
両左下側コーナー飾り１３０ｃ、１３０ｄのうち、左下側コーナー飾り１３０ｃは、図２にて示すごとく、遊技板１００ａの左下側隅角部に、当該遊技板１００ａの前面側から後述のごとく組み付けられている。一方、左下側コーナー飾り１３０ｄは、図２にて示すごとく、左下側コーナー飾り１３０ｃの右側にて、遊技板１００ａの下縁部に、当該遊技板１００ａの前面側から組み付けられている。また、図柄表示保留器１３０ｅは、図２にて示すごとく、遊技板１００ａの右下側隅角部に、当該遊技板１００ａの前面側から組み付けられている。
【００６４】
上記盤面構造物群のうち、センター構造物１４０は、図２、図３及び図８にて示すごとく、構造物本体１４０ａ及び上側アタッカー１４０ｂを有しており、構造物本体１４０ａは、その中央開口部１４１にて、遊技板１００ａのくりぬき穴部１０１（図３参照）に対向するように、当該遊技板１００ａにその前面側から組み付けられている。
【００６５】
本実施形態では、構造物本体１４０ａは、図８にて示すごとく、その上端部、左右両側縁部及び下縁部にて、環状部１４３及び各フランジ部１４４、１４５、１４６を設けてなるもので、フランジ部１４４には、上下一対の貫通孔部１４４ａ（図８では上側貫通孔部１４４ａのみを示す）が形成されている。フランジ部１４５には、上下一対の貫通孔部１４５ａが形成され、フランジ部１４６の下縁部には、複数の貫通孔部１４６ａ〜１４６ｄが形成されている。
【００６６】
これにより、構造物本体１４０ａは、環状部１４３、フランジ部１４４の各貫通孔部１４４ａ、フランジ部１４５の各貫通孔部１４５ａ及びフランジ部１４６の各貫通孔部１４６ａにそれぞれ各ビス（図示しない）を挿通して遊技板１００ａの各対応部位に嵌着することで、遊技板１００ａに組み付けられている。
【００６７】
上側アタッカー１４０ｂは、構造物本体１４０ａのうち中央開口部１４１の直上部位に設けられている。これにより、上述のように遊技領域内に案内される遊技球が上側アタッカー１４０ｂに向けて転動したとき、この上側アタッカー１４０ｂが、両開閉素子１４２を開閉させれば、当該遊技球が上側アタッカー１３０ｂの入賞口に入賞する可能性が発生する。
【００６８】
左右両側中央構造物１５０ａ、１５０ｂのうち、左側中央構造物１５０ａは、図２、図３及び図９にて示すごとく、飾り部材１５１と、両チャッカー１５２、１５３を有している。飾り部材１５１は、図９にて示すごとく、円弧状下板１５１ａ、枠状飾り１５１ｂ及び板状飾り１５１ｃでもって構成されている。
【００６９】
下板１５１ａは、左斜め下側に向け凸な円弧板状に形成されており、この下板１５１ａは、その外周縁部にて、図２にて示すごとく、内側レール部１２０ｂの左中央部位にその内周側から沿うように、遊技板１００ａにその前面側から組み付けられている。枠状飾り１５１ｂは、図９にて示すごとく、下板１５１ａの上部に固着されており、一方、板状飾り１５１ｃは、枠状飾り１５１ｂの下方にて、下板１５１ａの上下方向中間部位上に固着されている。
【００７０】
チャッカー１５２は、その両脚部１５２ａより、枠状飾り１５１ｂ及び板状飾り１５１ｃの間にて、下板１５１ａを介し遊技板１００ａのくりぬき穴部１０１ｄ（図３参照）にその前面側から嵌装されて組み付けられており、一方、チャッカー１５３は、その両脚部１５３ａより、板状飾り１５１ｃの下方にて遊技板１００ａのくりぬき穴部１０１ｅ（図３参照）にその前面側から嵌装されて組み付けられている。
【００７１】
右側中央構造物１５０ｂは、図２、図３及び図１０にて示すごとく、円弧状下板１５４と、普通電動構造物１５５と、チャッカー１５６とにより構成されている。円弧状下板１５４は、図１０にて示すごとく、右下側に向け凸な円弧板状に形成されており、この円弧状下板１５４は、外側レール部１２０ａ及び内側レール部１２０ｂの各右側対向端部（図３参照）の間にて、ガイドレール１２０の円周方向に沿うように遊技板１００ａにその前面側から装着されている（図２参照）。
【００７２】
普通電動構造物１５５は、下板１５４の上下方向中間部位を介し、遊技板１００ａのくりぬき穴部１０１ａ（図３参照）にその前面側から嵌装されており、この普通電動構造物１５５は、その羽根部材１５５ａの左右方向への傾動により、普通入賞口を開閉する。これにより、普通電動構造物１５５に向け上方から転動する遊技球が上記普通入賞口に入賞する可能性が発生する。なお、チャッカー１５６は、飾り本体１５４の下部を介し、遊技板１００ａのくりぬき穴部１０１ｆ（図３参照）にその前面側から嵌装されて組み付けられている（図２参照）。
【００７３】
肩チャッカー１６０ａは、図１１にて示す外形形状を有するもので、この肩チャッカー１６０ａは、その両脚部１６１より、センター構造物１４０の左側にて、遊技板１００ａのくりぬき穴部１０１ｃ（図３参照）にその前面側から嵌装されて組み付けられている（図２参照）。
【００７４】
ゲート１６０ｂは、図１２にて示す外形形状を有するもので、このゲート１６０ｂは、その両脚部１６２より、センター構造物１４０の右側にて、遊技板１００ａのくりぬき穴部１０１ｇ（図３参照）にその前面側から嵌装されて組み付けられている（図２参照）。
【００７５】
スタートチャッカー１６０ｃは、図１３にて示す外形形状を有するもので、このスタートチャッカー１６０ｃは、その両脚部１６３より、センター構造物１４０の中央直下にて、遊技板１００ａのくりぬき穴部１０１ｂ（図３参照）の上部にその前面側から嵌装されて組み付けられている（図２参照）。
【００７６】
下側アタッカー１７０は、図２にて示すごとく、スタートチャッカー１６０ｃの直下にて、遊技板１００ａに組み付けられているもので、当該下側アタッカー１７０は、図１４にて示すごとく、アタッカー本体１７０ａと、台板１７０ｂと、開閉板１７０ｃとにより構成されている。
【００７７】
しかして、当該下側アタッカー１７０は、アタッカー本体１７０ａを遊技板１００ａのくりぬき穴部１０１ｂ（図３参照）の下部にその前面側から嵌装するとともに、台板１７０ｂをアタッカー本体１７０ａの前面及び遊技板１００ａのくりぬき穴部１０１ｂの下部に装着することで、組み付けられている。なお、開閉板１７０ｃは、台板１７０ｂの大入賞口である開口部１７１に上下方向に開閉可能に支持されている。
【００７８】
これにより、当該下側アタッカー１７０に向け上方から転動する遊技球が、開閉板１７０ｃの開放に伴い、開口部１７１に入賞する可能性が生ずる。
【００７９】
盤面裏部品群１００ｅは、図３にて示すごとく、両円弧状装飾板１８０ａ及び裏ケーシング１８０ｂを有している。両円弧状装飾板１８０ａは、左右両側裏板１００ｂ、１００ｃの間に位置するように、遊技板１００ａにその裏面側から固着されている。なお、当該両装飾板１８０ａの表面（遊技板１００ａ側の面）には、所定のデザインが施されている。
【００８０】
裏ケーシング１８０ｂは、後述のごとく、遊技板１００ａを介し盤面前部品群１００ｄに対向するように、両円弧状装飾板１８０ａを介し遊技板１００ａにその裏面側から組み付けられるとともに、センター構造物１４０と共に部分的に共締めされている。当該裏ケーシング１８０ｂは、図３及び図１５にて示すごとく、リング状ケーシング本体１８１と、連結部材１８２と、複数の裏付属部品１８３とを有している。ケーシング本体１８１は、その下縁部にて切り割り状に形成されており、このケーシング本体１８１の両対向切り割り対向端部には、連結部材１８２が後述のごとく連結して組み付けられている。
【００８１】
リング状ケーシング本体１８１は、装飾帯１８１ａを有しており、この装飾帯１８１ａは、図３或いは図１５にて示すごとく、ケーシング本体１８１の内面（遊技板１００ａ側の面）にてその外周部に沿い形成されて、視覚的に訴える装飾効果を発揮する。
【００８２】
また、ケーシング本体１８１は、図１５にて示すごとく、その左側縁部及び上下右側縁部にて、複数のフランジ部１８５ａ、１８５ｂ及び１８５ｃを形成してなるもので、フランジ部１８５ａには、上下一対の筒状ボス部１８６ａが貫通状に形成され、各フランジ部１８５ｂ及び１８５ｃには、筒状ボス部１８６ｂ及び１８６ｃが、貫通状に形成されている。
【００８３】
連結部材１８２は、筒状ボス部１８２ａを有しており、この筒状ボス部１８２ａは、構造物本体１４０ａの貫通孔部１４６ｃ（図８参照）に対応する位置にて、連結部材に形成されている（図１６参照）。
【００８４】
複数の裏付属部品１８３は、ケーシング本体１８１の内面からその内周部側にて遊技板１００ａ側に向けて突出するように形成されている。
【００８５】
このように構成した裏ケーシング１８０ｂにおいては、ケーシング本体１８１が、その中央穴部１８４にて、遊技板１００ａのくりぬき穴部１０１に対向して位置するように、左右両側板部１０２、１０４の間に介装されており、当該ケーシング本体１８１は、その各フランジ部１８５ａ、１８５ｂ及び１８５ｃ（図１５、図１６参照）にて、次のようにして遊技板１００ａに組み付けられている。
【００８６】
即ち、各ビス（図示しない）をフランジ部１８５ａの各ボス部１８６ａ、フランジ部１８５ｂのボス部１８６ｂ及びフランジ部１８５ｃのボス部１８６ｃに挿通して遊技板１００ａの各対応部位に嵌着することで、ケーシング本体１８１が遊技板１００ａに組み付けられている。
【００８７】
このような組み付け状態において、フランジ部１８５ａが左側裏板１００ｂの屈曲板部１０３と遊技板１００ａの左側縁部との間に位置し、また、両フランジ部１８５ｂ及び１８５ｃが、右側裏板１００ｃの屈曲板部１０５と遊技板１００ａの右側縁部との間に位置する。また、装飾帯１８１は、左右両側板部１０２、１０４の間を介し遊技板１００ａに対向し、連結部材１８２は、センター構造物１４０の下部に遊技板１００ａを介し対向し、また、複数の裏付属部品１８３は、左右両側板部１０２、１０４の間に向け突出している。
【００８８】
さらに、裏ケーシング１８０ｂは、その連結部材１８２にて、次のごとく、透明板１００ａを介し、センター構造物１４０の構造物本体１４０ａに共締めされている。
【００８９】
即ち、連結部材１８２は、ボス部１８２ａを透明板１００ａの貫通孔部（図１７にて符号１０１ｈ参照）に挿通させるようにして、図１７にて例示するごとく、その貫通孔部１８２ｂにビス１８６を挿通して、ケーシング本体１８１の両対向切り割り対向端部（図１７にて符号１８４参照）に形成した貫通孔部１８１ｂに締着されている。なお、ケーシング本体１８１は、図１７にて例示するごとく、その両対向切り割り対向端部１８４にて、ビス１８７により、透明板１００ａの対応部位に締着されている。
【００９０】
また、構造物本体１４０ａは、そのフランジ部１４６の貫通孔部１４６ｃにて、遊技板１００ａにその前面側から連結部材１８２のボス部１８２ａに対応するように位置し、かつビス１４３を貫通孔部１４６ｃに挿通して連結部材１８２のボス部１８２ａに締着することで、遊技板１００ａを介し裏ケーシング１８０ｂと共締めされている（図１６及び図１７参照）。
【００９１】
また、遊技盤１００は、図２にて示すごとく、画像表示器１９０を有しており、この画像表示器１９０は、液晶表示器により構成されて、遊技板１００ａのくりぬき穴部１０１（図３参照）にその後方から左右両側裏板１００ｂ、１００ｃの間を介して組み付けられている。
【００９２】
次に、以上のように構成した遊技盤１００の製造方法について説明する。図１８にて示す透明板成形工程Ｓ１において、上記ゴムを上記アクリル樹脂の粉末に対し上記混合割合にて均一に混合してなる上記混合材料を用いて、樹脂射出成型機（図示しない）により、厚さ１０（ｍｍ）の透明板１０（図１９参照）を射出成形する。なお、当該透明板１０は、上述した遊技板１００ａに対応するものである。
【００９３】
ついで、位置決め用基準孔形成工程Ｓ２（図１８参照）において、位置決め用の両基準孔部１２を、上述のように成形した透明板１０の両対向隅角部１１に対し、貫通状に形成する（図２０参照）。なお、両基準孔部１２は、後の各工程において、透明板１０に対し加工処理を施すにあたり、当該透明板１０の位置決めのために用いられる。
【００９４】
このようにして位置決め用基準孔形成工程Ｓ２の処理が終了すると、次のくりぬき穴形成工程Ｓ３（図１８参照）において、透明板１０に対する複数のくりぬき穴部の形成が次のようにしてなされる。
【００９５】
即ち、このくりぬき穴形成工程Ｓ３においては、まず、上述のように両基準孔部１２を形成した透明板１０を、図示しない自動ルータ加工装置（自動くりぬき穴加工装置）のテーブル上に設置する。このとき、透明板１０は、その両基準孔部１２を基準に位置決めすることで上記テーブル上に設置される。
【００９６】
然る後、上記自動ルータ加工装置を作動状態におけば、上記テーブルが、その直上に位置する刃物と共に、透明板１０に対する所定のくりぬき穴形成データに基づき、平面（Ｘ−Ｙ平面）上にてＸ方向或いはＹ方向に移動しながら、上記刃物により、図２１にて示すごとく、複数のくりぬき穴部１３ａ〜１３ｃ、１４ａ〜１４ｅを、複数の小孔部１５ａ〜１５ｄ及び両切り欠き部１６ａ、１６ｂと共に、透明板１０に形成する。
【００９７】
本実施形態において、くりぬき穴部１３ａは遊技板１００ａの画像表示器１９０用くりぬき穴部１０１（図３参照）に相当し、くりぬき穴部１３ｂは、遊技板１００ａにおける右側中央構造物１５０ｂの普通電動構造物１５５用くりぬき穴部１０１ａ（図３参照）に相当し、また、くりぬき穴部１３ｃは、遊技板１００ａにおけるスタートチャッカー１６０ｃ及び下側アタッカー１７０の双方用のくりぬき穴部１０１ｂ（図３参照）に相当する。
【００９８】
また、各くりぬき穴部１４ａ〜１４ｅにおいて、くりぬき穴部１４ａは、遊技板１００ａにおける肩チャッカー１６０ａ用くりぬき穴部１０１ｃ（図３参照）に相当し、くりぬき穴部１４ｂは、チャッカー１５２用くりぬき穴部１０１ｄ（図３参照）に相当し、また、くりぬき穴部１４ｃは、チャッカー１５３用くりぬき穴部１０１ｅ（図３参照）に相当する。
【００９９】
くりぬき穴部１４ｄは、遊技板１００ａにおけるチャッカー１５６用くりぬき穴部１０１ｆ（図３参照）に相当し、また、くりぬき穴部１４ｅは、遊技板１００ａにおけるゲート１６０ｂ用のくりぬき穴部１０１ｇ（図３参照）に相当する。
【０１００】
また、両小孔部１５ａは、遊技板１００ａにおける左上側飾り１３０ａの組み付け用小孔部に相当し、両小孔部１５ｂは、遊技板１００ａにおける右上側飾り１３０ｂの組み付け用小孔部に相当する。また、両小孔部１５ｃは、遊技板１００ａにおける左下側飾り１３０ｃの用組み付け用小孔部に相当し、両小孔部１５ｄは、遊技板１００ａにおける左下側飾り１３０ｄの用組み付け用小孔部に相当する。
【０１０１】
上述のようにしてくりぬき穴形成工程Ｓ３の処理が終了すると、次の下孔形成工程Ｓ４（図１８参照）において、透明板１０に対する多数の遊技釘１１１用の多数の下孔部１７（図２２参照）の形成が次のようにしてなされる。
【０１０２】
即ち、この下孔形成工程Ｓ４においては、上述のように複数のくりぬき穴部を形成した透明板１０を、数値制御型自動ボール盤（図示しない）のテーブル上に設置する。このとき、透明板１０を、その両基準孔部１２を基準にして、自動ボール盤の上記テーブル上に位置決めして設置する。
【０１０３】
然る後、上記自動ボール盤を作動状態におけば、当該自動ボール盤のテーブルが、その直上に位置するドリルと共に、透明板１０に対する所定の下孔形成データに基づき、平面（Ｘ−Ｙ平面）上にてＸ方向或いはＹ方向に移動しながら、上記ドリルにより、多数の下孔部１７を、透明板１０に形成する（図２２参照）。これにより、このように下孔部を形成した後の透明板１０が遊技板１００ａに相当する。
【０１０４】
このようにして下孔形成工程Ｓ４の処理が終了すると、次の釘打ち工程Ｓ５（図１８参照）において、透明板１０に対する釘打ち処理が、釘打ち機２００（図２３参照）を用いてなされる。本実施形態において、当該釘打ち機２００としては、株式会社宮山技術研究所製ＭＴ−１１型自動釘打ち機が採用されている。
【０１０５】
当該釘打ち機２００は、図２３にて示すごとく、設置面上に配設される装置本体２１０を備えており、この装置本体２１０には、テーブル機構２２０、釘打ち機構２３０、操作ボックス２４０及び異常検出機構２５０が配設されている。
【０１０６】
テーブル機構２２０は、可動板２２１と、スライダー２２２と、テーブル２２３とにより構成されており、可動板２２１は、装置本体２１０上にてＸ方向（図２３にて図示矢印Ｘ方向参照）に変位可能に支持されている。
【０１０７】
スライダー２２２は、装置本体２１０上にて、可動板２２１に対しＹ方向（図２３にて図示矢印Ｙ方向参照）に変位可能に、かつ、可動板２２１とともにＸ方向に変位可能となるように支持されている。テーブル２２３は、その上面を水平状に維持するように、スライダー２２２上に固定されている。但し、当該釘打ち機２００においては、テーブル２２３の上面が遊技釘の打ち込みのための基準面として予め設定されており、遊技釘の打ち込み開始面が、上記基準面から１９（ｍｍ）上方の高さの位置となるように、設定されている。このことは、テーブル２２３上に載置される物体の板厚が１９（ｍｍ）であることを意味する。
【０１０８】
しかして、当該テーブル機構２２０においては、可動板２２１は、装置本体２１０内の制御ユニット（図示しない）による制御のもとに、所定の釘打ち込み位置データに応じて、スライダー２２２及びテーブル２２３と共にＸ方向へ水平状に移動し、また、スライダー２２２は、上記制御ユニットによる制御のもとに、上記釘打ち込み位置データに応じて、テーブル２２３と共にＸ方向に水平状に移動する。
【０１０９】
釘打ち機構２３０は、図２３或いは図２４から分かるように、カバー２３１と、８個のチャック２３２、チャック押動子２３３及びそり検出器２３４とを有する。カバー２３１は、その上壁内面中央部から下方に向けて延出する支柱２３１ａにより、図２２にて示すごとく、テーブル機構２２０の後方にて、装置本体２１０の左側後部上に支持されている。
【０１１０】
８個のチャック２３２は、支柱２３１ａの軸周りに等角度間隔にて位置するように、支柱２３１ａにより、その軸周りに回転可能にかつ上下方向に変位可能に支持されて、カバー２３１の下方へ延出している。これにより、これらチャック２３２は、装置本体２１０による駆動のもと、支柱２３１ａの軸周りに回転し、４５°回転する毎に一定時間の間停止するようになっている。ここで、８個のチャック２３２は、順次、図２３にて符号Ｐｒにて示す回転角位置（支柱２３１ａの軸の直後の位置）にて停止する毎に、釘フィーダ２３５（図２４参照）から釘供給レール２３５ａを介し順次供給される遊技釘（上述した遊技釘１１１に相当する）をチャックする。
【０１１１】
チャック押動子２３３は、図２４にて符号Ｐｆにて示す回転角位置（支柱２３１ａの軸の直前の位置）に達するチャック２３２の直前の位置にて、支柱２３１ａにより上下方向に軸動可能に支持されている（図２３及び図２４参照）。しかして、当該チャック押動子２３３は、装置本体２１０による駆動のもと、回転角位置Ｐｆに達するチャック２３２の停止毎に、当該チャック２３２を下方へ押動するように軸動し、上記一定時間の経過時に当該チャック２３２を解放により上方へ軸動させるように上方へ軸動する。
【０１１２】
操作ボックス２４０は、釘打ち機構２３０の近傍にて、装置本体２１０の上方に支持されており、この操作ボックス２４０は、釘打ち機構２３０による釘打ち作動を行うときに操作される。
【０１１３】
異常検出機構２５０は、図２３にて示すごとく、発光部２５１及び受光部２５２を有しており、これら発光部２５１及び受光部２５２は、装置本体２１０の左右両壁の各前後方向中間部位から上方へ延出している。これにより、異常検出機構２５０は、発光部２５１からの光に対する受光部２５２の受光状態に応じて、テーブル２２３上に後述のように載置される透明板１０の前面（図２３では図示上面）の異常を検出する。
【０１１４】
また、上述のような釘打ち機２００の採用にあわせて、底上げ治具１０ａ（図２５参照）が準備される。その根拠は次の通りである。
【０１１５】
まず、第１に、従来のパチンコ遊技機の遊技盤においては、ベニヤ積層板が、いわゆる従来の遊技板として汎用的に用いられて現在に到っており、しかも、当該ベニヤ積層板の厚さが、汎用的に、１９（ｍｍ）に定着している。
【０１１６】
第２には、上述の第１の根拠を前提に、遊技盤の製造にあたっては、現用の釘打ち機が、１９（ｍｍ）の厚さの遊技板であるベニヤ積層板に遊技釘を打ち込むように構成されている。
【０１１７】
ここで、ベニヤ積層板よりも薄い透明板に釘を打ち込むようにするには、原則的には、別途、新しく釘打ち機を準備する必要がある。しかしながら、新しく釘打ち機を準備することは、不経済なことであって好ましくない。
【０１１８】
そこで、本実施形態では、新しく釘打ち機を準備するのではなく、既設の釘打ち機（釘打ち機２００）を有効に活用する工夫を凝らすことで、解決を図ることとしたものである。
【０１１９】
具体的には、９（ｍｍ）の厚さの底上げ治具１０ａを用いて、１０（ｍｍ）の厚さの透明板１０の底上げを行って透明板１０の薄さを補うことで、既設の釘打ち機をそのまま活用する道を開いた。
【０１２０】
しかして、上述のごとく、釘打ち工程Ｓ５において、透明板１０に対し釘打ち処理を行うにあたり、１０（ｍｍ）の厚さの透明板１０を、釘打ち機２００ａのテーブル２２３上に、９（ｍｍ）の厚さの底上げ治具１０ａを介し載置して着脱可能に固定する。これによれば、透明板１０が、底上げ治具１０ａを介してテーブル２２３の上面上にしっかりと支持され得る。
【０１２１】
ここで、透明板１０は、その両基準孔部１２を基準にテーブル２２３上に位置決め固定される。このとき、テーブル２２３の初期位置は、透明板１０に対するすべての遊技釘の打ち込みを円滑に行うことができるように、図２３にて図示位置に設定される。詳細には、透明板１０のうち図２３にて図示左側基準孔部１２を含む隅角部が、上述した回転角位置Ｐｆ（図２４参照）に設定される。
【０１２２】
このように透明板１０を底上げ治具１０ａと共に初期的に位置決め固定した後、釘打ち機２００が、操作ボックス２４０の操作に伴い、釘打ち作動状態におかれると、８個のチャック２３２が、支柱２３１ａの軸周りに回転し、４５°回転する毎に上記一定時間の間停止する。このような回転過程においては、８個のチャック２３２は、順次、回転角位置Ｐｒ（図２４参照）にて停止する毎に、釘フィーダ２３５から釘供給レール２３５ａを介し順次供給される遊技釘をチャックする（図２６（ａ）参照）。
【０１２３】
そして、８個のチャック２３２が、順次、回転角位置Ｐｆ（図２４参照）に達して停止する毎に、チャック押動子２３３が、回転角位置Ｐｆにあるチャック２３２を下方へ押動する（図２６（ｂ）（ｃ）にて各矢印Ｒ１参照）。これにより、回転角位置Ｐｆに位置するチャック２３２によりチャック済みの遊技釘１１１が、透明板１０にその下孔部１７を介して打ち込まれる。
【０１２４】
然る後、８個のチャック２３２は、上記一定時間の経過に伴い、チャック押動子２３３の上方へ軸動（図２６（ｄ）にて図示矢印Ｒ２参照）により当該チャック押動子２３３から解放されて上動する。このとき、テーブル２２３が、スライダー２２２により、Ｙ方向に沿い装置本体２１０の前方（図２６（ｅ）にて図示矢印Ｒ３参照）に向けて移動されて、上述のように透明板１０に打ち込んだ遊技釘１１１をチャック２３２から前方へ解放し、然る後、可動板２２１によりＸ方向に沿い図１７にて図示左側へ移動し、ついで、可動板２２１により、Ｙ方向に沿い装置本体２１０の後方（図２６（ｆ）にて図示矢印Ｒ４参照）に向け移動される。
【０１２５】
以下、テーブル２２３は、Ｙ方向への直線的移動のもとに、Ｘ方向へジグザグ状に移動しながら、上述と同様にして透明板１０に対する遊技釘の打ち込みが順次なされる（図２４参照）。なお、すべての遊技釘１１１の打ち込みの終了後、上記各所定箇所に打ち込まれた各遊技釘には、各風車１１２が組み付けられる（図２参照）。
【０１２６】
上述のような遊技釘の打ち込みにあたっては、上述のごとく、当該釘打ち機２００においては、釘打ちのための基準面がテーブル２３２の上面で設定されており、釘打ちの開始面が、上記基準面の上方である１９（ｍｍ）の位置に設定されている。
【０１２７】
これに対し、遊技板１００ａに相当する透明板１０の厚さが１０（ｍｍ）と薄いものの、底上げ治具１０ａの厚さが９（ｍｍ）となっていることから、底上げ治具１０ａ及び透明板１０の双方の厚さの和が１９（ｍｍ）である。従って、底上げ治具１０ａが、透明板１０の薄さを補う役割を果たし、当該透明板１０の前面（上面）を、上述した釘打ちの開始面に正しく維持する。
【０１２８】
しかも、透明板１０が、上述のごとく、全体的に、底上げ治具１０ａでもって、テーブル２２３の上面上にしっかりと支持されている。従って、上述した釘打ち機２００による透明板１０に対する遊技釘の打ち込み力が強くても、透明板１０が撓んだり破壊したりすることなく、各遊技釘１１１を透明板１０に対し適正な打ち込み深さにて適正な向きにてしっかりと打ち込むことができる。その結果、各遊技釘１１１は、透明板１０によりしっかりと支持され得る。なお、遊技釘１１１の適正な打ち込み深さは、図４（ａ）にて示すごとく、透明板１０（遊技板１００ａ）の前面（図示上面）からの遊技釘１１１の首下露出長さを２０（ｍｍ）としたときの透明板１０に対する打ち込み深さをいう。
【０１２９】
以上のようにして釘打ち工程Ｓ５の処理が終了すると、次のガイドレール組み付け工程Ｓ６（図１８参照）において、外側レール部１２０ａ及び内側レール部１２０ｂを、図２７にて示すごとく、透明板１０の前面に上記遊技領域の周囲に沿い組み付ける。なお、この組み付けにあたっては、透明板１０を、底上げ治具１０ａと共に、釘打ち機２００のテーブル２２３上から外した後、当該透明板１０から底上げ治具１０ａを除去する。
【０１３０】
ついで、盤面前部品及び盤面裏部品組み付け工程Ｓ７（図１８参照）において、盤面前部品群１００ｄ（図３参照）、即ち、左右両上側コーナー飾り１３０ａ、１３０ｂ、両左下側コーナー飾り１３０ｃ、１３０ｄ、図柄表示保留器１３０ｅ、並びに盤面前構造物群を構成するセンター構造物１４０、左右両側中央構造物１５０ａ、１５０ｂ、肩チャッカー１６０ａ、ゲート１６０ｂ、スタートチャッカー１６０ｃ及び下側アタッカー１７０を透明板１０にその前面側から組み付ける。
【０１３１】
具体的には、左右両上側コーナー飾り１３０ａ、１３０ｂのうち、左上側コーナー飾り１３０ａ（図２参照）が、その両脚部（図示しない）から透明板１０の両小孔１５ａ（図２７参照）に嵌装することで、外側レール部１２０ｂの左上側部位に沿い組み付けられる。一方、右上側コーナー飾り１３０ｂは、その両脚部（図示しない）から透明板１０の両小孔部１５ｂ（図２７参照）に嵌装することで、外側レール部１２０ｂの右上側部位に沿い組み付けられる。
【０１３２】
両左下側コーナー飾り１３０ｃ、１３０ｄのうち、左下側コーナー飾り１３０ｃは、その両脚部（図示しない）から透明板１０の両小孔部１５ｃ（図２７参照）に嵌装することで、透明板１０の左下側隅角部に組み付けられている。一方、左下側コーナー飾り１３０ｄは、その両脚部（図示しない）から透明板１０の両小孔部１５ｄ（図２７参照）に嵌装することで、透明板１０の下縁部に組み付けられる。また、図柄表示保留器１３０ｅは、透明板１０の右下側隅角部に組み付けられる。
【０１３３】
さらに、上述の盤面前構造物群において、センター構造物１４０が、構造物本体１４０ａの中央開口部１４１にて、透明板１０のくりぬき穴部１３ａ（図２７参照）に対向するように、透明板１０にその前面側から上述のごとく組み付けられる（図２参照）。
【０１３４】
左右両側中央構造物１５０ａ、１５０ｂのうち、左側中央構造物１５０ａは、その下板１５１ａを内側レール部１２０ｂの左中央部位にその内周側から沿うように位置させて、透明板１０にその前面側から組み付けられる。
【０１３５】
ここで、チャッカー１５２は、その両脚部１５２ａから、下板１５１ａを介し透明板１０のくりぬき穴部１４ｂにその前面側から嵌装することで、透明板１０に組み付けられ、一方、チャッカー１５３は、その両脚部１５３ａから、下板１５１ａを介し透明板１０のくりぬき穴部１４ｃにその前面側から嵌装することで、透明板１０に組み付けられる。
【０１３６】
右側中央構造物１５０ｂは、その下板１５４を、外側レール部１２０ａ及び内側レール部１２０ｂの各右側対向端部の間にて、ガイドレール１２０の円周方向に沿うように装着することで、透明板１０にその前面側から組み付けられる。ここで、普通電動構造物１５５は、下板１５４の上下方向中間部位を介し、透明板１０のくりぬき穴部１３ｂ（図２７参照）にその前面側から嵌装される。また、チャッカー１５６は、その両脚部（図示しない）から透明板１０のくりぬき穴部１４ｄ（図２７参照）にその前面側から嵌装することで透明板１０に組み付けられる。
【０１３７】
肩チャッカー１６０ａは、その両脚部１６１から、透明板１０のくりぬき穴部１４ａ（図２７参照）にその前面側から嵌装することで、透明板１０に組み付けられる。ゲート１６０ｂは、その両脚部１６２から、透明板１０のくりぬき穴部１４ｅ（図２１参照）にその前面側から嵌装することで、透明板１０に組み付けられる。
【０１３８】
スタートチャッカー１６０ｃは、その両脚部１６３から透明板１０のくりぬき穴部１３ｃの上部内に嵌装することで、透明板１０にその前面側から組み付けられる。また、下側アタッカー１７０は、透明板１０のくりぬき穴部１３ｃ（図２７参照）の下部内に嵌装されて透明板１０にその前面側から組み付けられる。
【０１３９】
以上のようにして盤面前部品群の組み付けが終了すると、盤面後部品群１００ｅ（図３参照）、即ち、両装飾板１８０ａ及び裏ケーシング１８０ｂを、透明板１０を介し盤面前部品群１００ｄに対向するように当該透明板１０にその裏面側から組み付ける。
【０１４０】
具体的には、両装飾板１８０ａが、透明板１０の左右両側縁部の内側に位置するように、透明板１０にその裏側から固着される。ついで、裏ケーシング１８０ｂが、ケーシング本体１８１の中央穴部１８４を透明板１０のくりぬき穴部１３ａ（図２７参照）に対向して位置させて、透明板１０にその左右両側縁部の内側にて組み付けられる。この組み付けに伴い、装飾帯１８１が、透明板１０に対しその左右両側縁部の内側にて対向し、連結部材１８２が、センター構造物１４０の下部に透明板１０を介し対向し、また、複数の裏付属部品１８３が、透明板１０に向けその左右両側縁部の内側にて突出する。
【０１４１】
また、このような裏ケーシング１８０ｂの組み付けに伴い、当該裏ケーシング１８０ｂの連結部材１８２を、透明板１００ａを介し、センター構造物１４０に上述のごとく共締めする。
【０１４２】
以上のようにして盤面前部品及び盤面裏部品組み付け工程Ｓ７の処理が終了すると、次の裏板組み付け工程Ｓ８において、裏板の透明板１０に対する組み付けが次のようにして行われる。当該裏板としては、上述した構成を有する左右両側裏板１００ｂ、１００ｃ（図５及び図６参照）を準備する。
【０１４３】
しかして、この裏板組み付け工程Ｓ８においては、左側裏板１００ｂの屈曲板部１０３が透明板１０の左側縁部にその裏面側から裏ケーシング１８０ｂの左側縁部を介し対向するように、側板部１０２を、透明板１０の左側縁部に沿い、両ビス１０２ｂ（図３参照）の締着により、透明板１０の左側縁部に組み付ける。
【０１４４】
ついで、右側裏板１００ｃの屈曲板部１０５が透明板１０の右側縁部にその裏側から裏ケーシング１８０ｂの右側縁部を介し対向するように、側板部１０４を、透明板１０の右側縁部に沿い、両ビス１０４ｂ（図３参照）の締着により、透明板１０の右側縁部に組み付ける。
【０１４５】
これにより、裏ケーシング１８０ｂは、両側板部１０２、１０４の間に維持することとなるので、この裏ケーシング１８０ｂは、その全体にて、両装飾板１８０ａを介し、透明板１０に対向することとなる。その結果、透明板１０を通して、裏ケーシング１８０ｂを両装飾板１８０ａとともに全体的に視認することが可能となる。
【０１４６】
次の画像表示器組み付け工程Ｓ９において、画像表示器１９０を、左右両側裏板１００ｂ、１００ｃの各屈曲板部１０３、１０５の間を介し、裏ケーシング１８０ｂの中央穴部１８４を通して透明板１０のくりぬき穴部１３ａに組み付ける。
【０１４７】
以上のような各工程を経て、透明板１０に相当する遊技板１００ａ及び左右両側裏板１００ｂ、１００ｃを備えた遊技盤１００の製造が終了する。
【０１４８】
以上説明したように、本実施形態では、釘打ち機２００が上述した仕様を有する既設の釘打ち機であるが、上述のように、底上げ治具１０ａを利用して遊技釘１１１の透明板１０に対する打ち込み構成に工夫を凝らすことで、当該既設の釘打ち機を有効に活用した遊技盤の製造方法の提供が可能となる。
【０１４９】
ここで、透明板１０が、上述のようにゴムをアクリル樹脂に上記所定の混合割合にて混合した混合材料でもって形成されるので、遊技釘１１１を、透明板１０に対し、その亀裂や破損を招くことなく、打ち込むことが、より一層良好になされ得る。
【０１５０】
また、上述のごとく、透明板１０に両位置決め用基準孔部１２を形成して、この両基準孔部１２を基準にして、透明板１０に対し、上述した複数のくりぬき穴部や多数の下孔部を形成するようにしたので、透明板１０に対するくりぬき穴部や下孔部の形成位置が精度よく確保され得る。従って、その後の透明板１０に対する加工処理や組み付け処理が良好になされ得る。
【０１５１】
また、上述のごとく、裏ケーシング１８０ｂを、両装飾板１８０ａとともに、透明板１０を通して、全体的に視認し得る。このことは、透明板１０を介する裏部品に対する透視範囲がより一層拡大することを意味する。従って、当該パチンコ遊技機における遊技盤１００のデザイン効果をより一層高めることができる。また、裏ケーシング１８０ｂの左右両側縁部は、その裏面側から左右両側裏板１００ｂ、１００ｃの各屈曲板部１０３、１０５により覆われるので、裏ケーシング１８０ｂの左右両側縁部が直接視認されることもない。
【０１５２】
また、この製造方法により製造された遊技盤においては、遊技板１００ａがその全体に亘り透明板１０で構成されていることから、遊技板１００ａの透視範囲を大幅に拡大することができる。しかも、裏ケーシング１８０ｂは、上述のごとく、左右両側裏板１００ｂ、１００ｃの各側板部１０２、１０４の間に位置する。従って、遊技板１００ａの裏面側に位置する裏ケーシング１８０ａその他の盤面裏部品群１００ｅを、その全体に亘り、遊技板１００ａを通して視認することができる。その結果、当該遊技盤１００における盤面裏部品群の装飾効果がより一層広い範囲にて発揮され得る。
【０１５３】
ここで、上述のごとく、盤面裏部品群１００ｅを構成する裏ケーシング１８０ｂや装飾板１８０ａは、左右両側裏板１００ｂ、１００ｃの各側板部の内側にて透明板１０を介し盤面前部品群１００ｄに対向して位置するように、透明板１０にその裏面側から組み付けられている。従って、裏ケーシング１８０ｂや装飾板１８０ａの透明板１０に対する組み付け部位が、盤面前部品群１００ｄにより遮られるため、当該組み付け部位が、遊技盤１００の前側から視認されることはない。その結果、遊技盤１００の見映えを良好に確保することができる。
【０１５４】
また、裏ケーシング１８０ｂ及び環状センター構造物１４０は、上述のごとく、透明板１０を介し共締めされているから、透明板１０を介する裏ケーシング１８０ｂ及び環状センター構造物１４０の間の組み付け作業を簡単にするとともにその組み付け部材であるビスを減少させ得る。
【０１５５】
また、上述のように、左右両側裏板１００ｂ、１００ｃは、各屈曲板部１０３、１０５により、裏ケーシング１８０ｂの左右両側縁部を覆うようにして、各側板部１０２、１０４にて、透明板１０の左右両側縁部からその裏面側に向け裏ケーシング１８０ａの左右両側縁部の外側に沿い延出しているので、裏ケーシング１８０ｂの左右両側縁部に相当する部位のデザインを自由に行うことができる。
【０１５６】
ここで、透明板１０、即ち、遊技板１００ａは、上述のごとく、その前面側から盤面裏部品群１００ｅを目視により良好に透視し得るように１０（ｍｍ）の厚さに形成されていることから、透明板１０の透視性を良好に確保することができる。
【０１５７】
また、当該透明板１０は、１０（ｍｍ）の厚さを有することから、遊技釘１１１の適正な打ち込み深さを確保し得る。従って、当該透明板１０に打ち込まれた遊技釘１１１は、当該透明板１０によりしっかりと支持され得る。
【０１５８】
なお、本発明の実施にあたり、上記実施形態に限ることなく、次のような種々の変形例が挙げられる。
（１）本発明の実施にあたり、遊技板１００ａの厚さは、上記実施形態にて述べた１０（ｍｍ）に限ることなく、例えば、９（ｍｍ）或いは１１（ｍｍ）等に変更してもよい。一般的には、遊技板１００ａは、その前面側から盤面裏部品群１００ｅを目視により良好に透視可能で遊技釘１１１の適正な打ち込み深さを確保可能な厚さであればよい。
（２）本発明の実施にあたり、上記透明板は、アクリル樹脂とゴムとの混合材料に限ることなく、ポリカーボネート（ＰＣ）とゴムとの混合材料でもって形成するようにしてもよい。
（３）本発明の実施にあたり、透明板１０は、遊技釘１１１を打ち込むことができる程度の柔らかさを有する樹脂、例えば、ポリメタクリル酸メチルであれば、ゴムを混合しなくてもよい。
（４）本発明の実施にあたり、上記実施形態にて述べた左右両側裏板１００ｂ、１００ｃは、断面Ｌ字状であればどのような形状であってもよく、例えば、遊技板１００ａの少なくとも左右両側縁部からその裏面側に向け裏ケーシング１８０ｂの外側に沿い延出するように遊技板１００ａの少なくとも左右両側縁部に組み付けられる第１板体と、この第１板体の延出端部から裏ケーシング１８０ｂの少なくとも左右両側縁部を覆うように当該裏ケーシングの中央側へ延出する第２板体とを有する裏板部材が、左右両側裏板１００ｂ、１００ｃに代えて採用されてもよい。
（５）本発明の実施にあたり、上記実施形態にて述べた釘打ち機２００のように、遊技釘の打ち込み開始面が、テーブル２２３の上面である遊技釘の打ち込みのための基準面から１９（ｍｍ）上方の高さの位置にある釘打ち機に限ることなく、テーブルの上面から１８．５（ｍｍ）〜２０．５（ｍｍ）の範囲以内の所定高さの平面を遊技釘の打ち込み開始面とする仕様の釘打ち機が、上記釘打ち機２００であってもよい。これを前提に、透明板１０は、１８．５（ｍｍ）〜２０．５（ｍｍ）の範囲以内の所定厚さ未満の厚さ、例えば、１０（ｍｍ）であってもよい。これに伴い、上記実施形態にて述べた底上げ治具１０ａの厚さは、上記１８．５（ｍｍ）〜２０．５（ｍｍ）の範囲以内の所定厚さから透明板１０の厚さを減じた厚さとすればよい。これによっても、上記実施形態と同様の作用効果を達成することができる。
（６）本発明の実施にあたり、透明板は、ガラス繊維入りポリプロピレン樹脂及びガラス繊維入りポリアミド樹脂のいずれかからなるガラス繊維入り合成樹脂を、その含有成分であるガラス繊維のスプリングバック現象により膨張させて、無数の気孔を内包するようにして形成してもよい。これによれば、透明板は遊技釘を容易に打ち込むことが可能でかつ打ち込んだ遊技釘をしっかりと保持し得る程度の弾性を有するようになる。従って、遊技釘を透明板に打ち込むにあたり、当該遊技釘を透明板に容易に打ち込むことができる。よって、遊技釘を透明板に打ち込むにあたり、前もって、透明板に遊技釘用下孔部を形成する必要がない。また、上述のように透明板は打ち込んだ遊技釘をしっかりと保持し得る程度の弾性を有するから、打ち込まれた遊技釘は透明板によりしっかりと支持され得る。
【符号の説明】
【０１５９】
１０…透明板、１０ａ…底上げ治具、１００ａ…遊技板、１００ｂ…左側裏板、
１００ｃ…右側裏板、１００ｄ…盤面前部品群、１００ｅ…盤面裏部品群、
１０１〜１０１ｇ、１３ａ〜１３ｃ、１４ａ〜１４ｅ…くりぬき穴部、
１０２、１０４…側板部、１０３、１０５…屈曲板部、１１０…遊技釘群、
１１１…遊技釘、１２０…ガイドレール、１４０…センター構造物、
１６０ａ…肩チャッカー、１５２、１５３、１５６…チャッカー、
１５５…普通電動構造物、１６０ｃ…スタートチャッカー、
１７０…下側アタッカー、１８０ａ…円弧状装飾板、１８０ｂ…裏ケーシング、
１８２…連結部材、１８３…裏付属部品、１９０…画像表示器、２００…釘打ち機、
２２３…テーブル、Ｓ１…透明板成形工程、Ｓ２…位置決め用基準孔部形成工程、
Ｓ３…くりぬき穴形成工程、Ｓ４…下孔形成工程、Ｓ５…釘打ち工程、
Ｓ６…ガイドレール組み付け工程、Ｓ７…盤面前部品及び盤面裏部品組み付け工程、
Ｓ８…裏板組み付け工程。
【図１】
2010268928.tif 000003
【図２】
2010268928.tif 000004
【図３】
2010268928.tif 000005
【図４】
2010268928.tif 000006
【図５】
2010268928.tif 000007
【図６】
2010268928.tif 000008
【図７】
2010268928.tif 000009
【図８】
2010268928.tif 000010
【図９】
2010268928.tif 000011
【図１０】
2010268928.tif 000012
【図１１】
2010268928.tif 000013
【図１２】
2010268928.tif 000014
【図１３】
2010268928.tif 000015
【図１４】
2010268928.tif 000016
【図１５】
2010268928.tif 000017
【図１６】
2010268928.tif 000018
【図１７】
2010268928.tif 000019
【図１８】
2010268928.tif 000020
【図１９】
2010268928.tif 000021
【図２０】
2010268928.tif 000022
【図２１】
2010268928.tif 000023
【図２２】
2010268928.tif 000024
【図２３】
2010268928.tif 000025
【図２４】
2010268928.tif 000026
【図２５】
2010268928.tif 000027
【図２６】
2010268928.tif 000028
【図２７】
2010268928.tif 000029